(57)【要約】【課題】特定空間内に設置する予定の通信装置の位置が適切か否かを判定するための画像送信装置、画像送信方法及び画像表示装置を提供する。【解決手段】携帯電話網の通信装置を設置する特定空間の長手方向における位置に関連付けて、位置に対して特定空間を通過する移動体の進行方向の特定空間の内部を示す第１の三次元画像と、位置に対して進行方向と逆方向の特定空間の内部を示す第２の三次元画像とを記憶する記憶部３２と、特定空間内のいずれかの位置を指定するための指定情報を取得する取得部と、指定情報により指定された位置に関連付けられ、且つ、通信装置を示すオブジェクトを仮想的に配置可能な第１の三次元画像及び第２の三次元画像を送信する送信部と、を備える。【選択図】図２
2019145954.tif 000002
【特許請求の範囲】
【請求項１】
携帯電話網の通信装置を設置する特定空間の長手方向における位置に関連付けて、前記位置に対して前記特定空間を通過する移動体の進行方向の前記特定空間の内部を示す第１の三次元画像と、前記位置に対して前記進行方向と逆方向の前記特定空間の内部を示す第２の三次元画像とを記憶する記憶部と、
前記特定空間内のいずれかの位置を指定するための指定情報を取得する取得部と、
前記指定情報により指定された位置に関連付けられ、且つ、前記通信装置を示すオブジェクトを仮想的に配置可能な前記第１の三次元画像及び前記第２の三次元画像を送信する送信部と、
を備える画像送信装置。
【請求項２】
前記取得部は、前記特定空間の水平方向の断面形状を示す画像において前記オブジェクトを仮想的に配置するための配置情報を取得する、
請求項１に記載の画像送信装置。
【請求項３】
前記送信部は、前記配置情報により仮想的に配置した前記オブジェクトを前記特定空間の内部に重畳させた画像を送信する、
請求項２に記載の画像送信装置。
【請求項４】
前記配置情報により前記オブジェクトを仮想的に配置した後に、前記指定情報により指定された位置に関連付けられた前記第１の三次元画像及び前記第２の三次元画像において前記オブジェクト及び設置済みの通信装置のいずれかが見通せるか否かを判定する第１判定部をさらに備える、
請求項２又は３に記載の画像送信装置。
【請求項５】
前記配置情報により前記オブジェクトを仮想的に配置した後に、前記特定空間の長手方向の複数の位置それぞれに関連付けて前記記憶部が記憶している前記第１の三次元画像及び前記第２の三次元画像において前記オブジェクト及び設置済みの通信装置のいずれかが見通せるか否かを判定する第１判定部をさらに備える、
請求項２から４のいずれか一項に記載の画像送信装置。
【請求項６】
前記送信部は、前記第１判定部が前記特定空間内のいずれかの区間に含まれる前記複数の位置において前記オブジェクト及び前記設置済みの通信装置をいずれも見通せないと判定した場合に、前記特定空間を示す画像において当該区間を示す情報を送信する、
請求項５に記載の画像送信装置。
【請求項７】
前記記憶部は、前記特定空間としてトンネルの内部を示す前記第１の三次元画像及び前記第２の三次元画像を記憶する、
請求項１から６のいずれか一項に記載の画像送信装置。
【請求項８】
前記取得部は、前記特定空間を移動する移動体に搭載された撮影装置により撮影された前記第１の三次元画像及び前記第２の三次元画像を取得する、
請求項１から７のいずれか一項に記載の画像送信装置。
【請求項９】
前記送信部は、構造物の設置が禁止されている建築限界の位置を示す画像を前記特定空間の内部に重畳させた画像を送信する、
請求項１から８のいずれか一項に記載の画像送信装置。
【請求項１０】
前記配置情報により仮想的に配置した前記オブジェクトが、構造物の設置が禁止されている建築限界と重ならないように配置されているか否かを判定する第２判定部をさらに備える、
請求項２から５のいずれか一項に記載の画像送信装置。
【請求項１１】
携帯電話網の通信装置を設置する特定空間の長手方向における位置に関連付けて、前記位置に対して前記特定空間を通過する移動体の進行方向の前記特定空間の内部を示す第１の三次元画像と、前記位置に対して前記進行方向と逆方向の前記特定空間の内部を示す第２の三次元画像とを記憶させるステップと、
前記特定空間内のいずれかの位置を指定するための指定情報を取得するステップと、
前記指定情報により指定された位置に関連付けられ、且つ、前記通信装置を示すオブジェクトを仮想的に配置可能な前記第１の三次元画像及び前記第２の三次元画像を送信するステップと、
を備える画像送信方法。
【請求項１２】
携帯電話網の通信装置を設置する特定空間の長手方向における位置に関連付けて、前記位置に対して前記特定空間を通過する移動体の進行方向の前記特定空間の内部を示す第１の三次元画像と、前記位置に対して前記進行方向と逆方向の前記特定空間の内部を示す第２の三次元画像とを記憶している記憶部と、
前記特定空間内のいずれかの位置を指定する指定操作を受け付ける操作受付部と、
前記指定操作により指定された位置に関連付けられ、且つ、前記通信装置を示すオブジェクトを仮想的に配置可能な前記第１の三次元画像及び前記第２の三次元画像を表示部に表示させる表示制御部と、
を備える画像表示装置。
【発明の詳細な説明】
【技術分野】
【０００１】
本発明は、三次元画像を送信する画像送信装置、画像送信方法及び三次元画像を表示する画像表示装置に関する。
【背景技術】
【０００２】
基地局からの電波が到達しないトンネル等の特定空間内において基地局からの電波を中継するために、複数の無線中継端末を特定空間内に配置し、特定空間内の無線中継端末と特定空間外の中継装置とを伝送路を介して接続する技術が知られている（例えば、特許文献１）。
【先行技術文献】
【特許文献】
【０００３】
【特許文献１】特開平１１−１４５８８７号公報
【発明の概要】
【発明が解決しようとする課題】
【０００４】
特定空間内を移動する電車等の移動体においてハンドオーバが常に可能であるためには、特定空間内のどの位置においても複数の基地局を見通せるという条件を満たすように特定空間内に基地局を設置する必要がある。このため、通信事業者は、基地局を設置する前に、どの場所に基地局を設置するのが適切なのかを確認する必要がある。この確認作業は特定空間内において移動体が走行していない深夜に行われるため、作業効率が悪いという問題があった。
【０００５】
そこで、本発明はこれらの点に鑑みてなされたものであり、どの場所に基地局を設置するのが適切なのかを確認するための画像送信装置、画像送信方法及び画像表示装置を提供することを目的とする。
【課題を解決するための手段】
【０００６】
本発明の第１の態様の画像送信装置は、携帯電話網の通信装置を設置する特定空間の長手方向における位置に関連付けて、前記位置に対して前記特定空間を通過する移動体の進行方向の前記特定空間の内部を示す第１の三次元画像と、前記位置に対して前記進行方向と逆方向の前記特定空間の内部を示す第２の三次元画像とを記憶する記憶部と、前記特定空間内のいずれかの位置を指定するための指定情報を取得する取得部と、前記指定情報により指定された位置に関連付けられ、且つ、前記通信装置を示すオブジェクトを仮想的に配置可能な前記第１の三次元画像及び前記第２の三次元画像を送信する送信部と、を備える。
【０００７】
前記取得部は、前記特定空間の水平方向の断面形状を示す画像において前記オブジェクトを仮想的に配置するための配置情報を取得してもよい。前記送信部は、前記配置情報により仮想的に配置した前記オブジェクトを前記特定空間の内部に重畳させた画像を送信してもよい。前記画像送信装置は、前記配置情報により前記オブジェクトを仮想的に配置した後に、前記指定情報により指定された位置に関連付けられた前記第１の三次元画像及び前記第２の三次元画像において前記オブジェクト及び設置済みの通信装置のいずれかが見通せるか否かを判定する第１判定部をさらに備えてもよい。
【０００８】
前記画像送信装置は、前記配置情報により前記オブジェクトを仮想的に配置した後に、前記特定空間の長手方向の複数の位置それぞれに関連付けて前記記憶部が記憶している前記第１の三次元画像及び前記第２の三次元画像において前記オブジェクト及び設置済みの通信装置のいずれかが見通せるか否かを判定する第１判定部をさらに備えてもよい。
【０００９】
前記送信部は、前記第１判定部が前記特定空間内のいずれかの区間に含まれる前記複数の位置において前記オブジェクト及び前記設置済みの通信装置をいずれも見通せないと判定した場合に、前記特定空間を示す画像において当該区間を示す情報を送信してもよい。前記記憶部は、前記特定空間としてトンネルの内部を示す前記第１の三次元画像及び前記第２の三次元画像を記憶してもよい。
【００１０】
前記取得部は、前記特定空間を移動する移動体に搭載された撮影装置により撮影された前記第１の三次元画像及び前記第２の三次元画像を取得してもよい。前記送信部は、構造物の設置が禁止されている建築限界の位置を示す画像を前記特定空間の内部に重畳させた画像を送信してもよい。前記画像送信装置は、前記配置情報により仮想的に配置した前記オブジェクトが、構造物の設置が禁止されている建築限界と重ならないように配置されているか否かを判定する第２判定部をさらに備えてもよい。
【００１１】
本発明の第２の態様の画像送信方法は、携帯電話網の通信装置を設置する特定空間の長手方向における位置に関連付けて、前記位置に対して前記特定空間を通過する移動体の進行方向の前記特定空間の内部を示す第１の三次元画像と、前記位置に対して前記進行方向と逆方向の前記特定空間の内部を示す第２の三次元画像とを記憶させるステップと、前記特定空間内のいずれかの位置を指定するための指定情報を取得するステップと、前記指定情報により指定された位置に関連付けられ、且つ、前記通信装置を示すオブジェクトを仮想的に配置可能な前記第１の三次元画像及び前記第２の三次元画像を送信するステップと、を備える。
【００１２】
本発明の第３の態様の画像表示装置は、携帯電話網の通信装置を設置する特定空間の長手方向における位置に関連付けて、前記位置に対して前記特定空間を通過する移動体の進行方向の前記特定空間の内部を示す第１の三次元画像と、前記位置に対して前記進行方向と逆方向の前記特定空間の内部を示す第２の三次元画像とを記憶している記憶部と、前記特定空間内のいずれかの位置を指定する指定操作を受け付ける操作受付部と、前記指定操作により指定された位置に関連付けられ、且つ、前記通信装置を示すオブジェクトを仮想的に配置可能な前記第１の三次元画像及び前記第２の三次元画像を表示部に表示させる表示制御部と、を備える。
【発明の効果】
【００１３】
本発明によれば、特定空間内に設置する予定の基地局の位置が適切か否かを判定するための画像送信装置、画像送信方法及び画像表示装置を提供する。
【図面の簡単な説明】
【００１４】
【図１】本発明の実施形態に係る画像表示システムの概要について説明するための図である。
【図２】画像送信装置の構成を示す図である。
【図３】送信制御部が画像表示装置に送信する画像の例を示す図である。
【図４】送信制御部が画像表示装置に送信する画像の例を示す図である。
【図５】送信制御部が送信する三次元画像の他の例である。
【図６】第１判定部による判定を説明するための図である。
【図７】画像表示装置の構成を示す図である。
【図８】画像送信装置の動作の一例を示したフローチャートである。
【図９】判定処理の詳細な手順を示すフローチャートである。
【発明を実施するための形態】
【００１５】
［画像表示システムＳの概要］
図１は、本発明の実施形態に係る画像表示システムＳの概要について説明するための図である。画像表示システムＳは、画像送信装置３００及び画像表示装置４００を備える。画像表示システムＳは、トンネル及び地下道等の長細い特定空間Ｔに通信装置２００を設置する位置を検討するために用いられるシステムである。通信装置２００は、例えば携帯電話網の基地局、無線ＬＡＮ（Local Area Network）のアクセスポイントのように、特定空間に設置された状態で電波を送受信する装置である。
【００１６】
特定空間Ｔを移動する移動体（例えば、列車又は自動車）には、例えば、図１に示すように、撮影装置１００が設置される。撮影装置１００は、三次元画像を生成するための撮影画像を生成する。三次元画像は、特定空間の高さ、奥行き、幅などを示す距離情報を含む撮影画像である。一例として、複数の撮影装置１００が、移動体の先頭及び最後尾にそれぞれ搭載される。移動体の先頭に搭載された撮影装置１００は、移動体の進行方向の特定空間の内部を示す第１の三次元画像を撮影する。移動体の最後尾に搭載された撮影装置１００は、移動体の進行方向と逆方向の特定空間の内部を示す第２の三次元画像を撮影する。
【００１７】
撮影装置１００は、特定空間の長手方向における撮影時の撮影装置１００の位置を取得する。例えば、撮影装置１００は、特定空間の長手方向に沿って特定空間を通過する移動体の速度計から移動速度を取得し、取得した移動速度に基づいて、位置が予め分かっている基準位置からの移動体の移動距離を求める。撮影装置１００は、求めた移動距離に基づいて、三次元画像の撮影時の特定空間の長手方向における撮影装置１００の位置を特定する。
【００１８】
移動体の先頭に搭載された撮影装置１００の位置と、移動体の最後尾に搭載された撮影装置１００の位置とは、移動体の長さ分だけ異なる。そこで、移動体の最後尾に搭載された撮影装置１００の撮影時の位置は、移動体の先頭に搭載された撮影装置１００の位置を移動体の長さだけずらすことにより特定してもよい。撮影装置１００は、撮影した三次元画像と、撮影時の撮影装置１００の特定空間の長手方向における位置を示す位置情報とを関連付けて画像送信装置３００へ送信する。
【００１９】
画像送信装置３００は、例えばサーバであり、特定空間の内部を示す三次元画像を記憶している。画像送信装置３００は、三次元画像と、この三次元画像に関連付けられた位置情報とを撮影装置１００から取得する。
【００２０】
画像送信装置３００は、第１の三次元画像及び第２の三次元画像に関連付けられた位置情報をそれぞれ参照して、同じ位置を示す位置情報に関連付けられた第１の三次元画像及び第２の三次元画像の組み合わせを特定する。画像送信装置３００は、特定した第１の三次元画像及び第２の三次元画像の組み合わせと、これらの三次元画像の撮影時の撮影装置１００の位置を示す位置情報とを関連付けて記憶する。画像送信装置３００は、画像表示装置４００からの要求に応じて、三次元画像を画像表示装置４００に送信する。このとき、画像送信装置３００は、同じ位置を示す位置情報に関連付けられた第１の三次元画像と第２の三次元画像とを関連付けて画像表示装置４００へ送信する。
【００２１】
画像表示装置４００は、例えばタブレット端末、スマートフォン、ＰＣ（Personal Computer）等のコンピュータであり、画像送信装置３００から取得した三次元画像を画面に表示する。通信装置２００の設置位置を検討する作業者（例えば、携帯電話事業者の作業者）は、画像表示装置４００に表示された三次元画像を確認しながら通信装置２００の設置位置を検討することができる。
【００２２】
画像表示装置４００は、特定空間Ｔにおいて同じ位置の両側を示す一対の三次元画像（第１の三次元画像及び第２の三次元画像）を表示する。第１の三次元画像及び第２の三次元画像は、通信装置２００を示すオブジェクトを仮想的に配置可能な画像であり、表示される三次元画像には、ユーザが配置したオブジェクトの画像も合成されて表示される。
【００２３】
特定空間Ｔに通信装置２００を設置する場合、通信装置２００の設置数をなるべく少なくし、効率よく設置することが重要である。画像表示装置４００は、どの場所に通信装置２００を設置するのが適切なのかを予め確認するために、第１の三次元画像又は第２の三次元画像が示す特定空間Ｔにおいて通信装置２００を設置する候補となる位置に通信装置２００を示すオブジェクトを仮想的に配置する操作を受け付ける。画像表示装置４００は、オブジェクトを仮想的に配置する操作を受け付けた場合、第１の三次元画像又は第２の三次元画像において特定空間Ｔに重畳させてオブジェクトを表示する。このとき、ユーザは、仮想的に配置された状態のオブジェクトが見通せるか否かを確認することができる。
【００２４】
より詳しくは、ユーザは、通信装置２００の設置予定場所を探す際には、一つの設置予定場所にオブジェクトを配置し、空間図面を動かしながら、三次元画像においてオブジェクトの存在を確認しながら、他方の画面で隣のオブジェクトを配置して、両方が見えているかを確認していく。なお、画像表示装置４００は、特定空間Ｔの上面視図が表示された状態において、特定空間Ｔにおいて通信装置２００を設置する候補となる位置に通信装置２００を示すオブジェクトを配置する操作を受け付けてもよい。
【００２５】
［画像送信装置３００の構成］
以下、画像送信装置３００の構成について詳細に説明する。図２は、画像送信装置３００の構成を示す図である。画像送信装置３００は、通信部３１、記憶部３２及び制御部３３を備える。通信部３１は、撮影装置１００及び画像表示装置４００と通信するためのインターフェースである。
【００２６】
記憶部３２は、ＲＯＭ（Read Only Memory）及びＲＡＭ（Random Access Memory）等の記憶媒体である。記憶部３２は、制御部３３が実行するプログラムを記憶している。制御部３３は、例えばＣＰＵ（Central Processing Unit）である。制御部３３は、記憶部３２に記憶されたプログラムを実行することにより、取得部３３１及び送信制御部３３２として機能する。
【００２７】
取得部３３１は、ネットワークＮを介して、撮影装置１００から三次元画像を取得する。例えば、取得部３３１は、携帯電話網の通信装置２００を設置する特定空間の位置に対して移動体の進行方向の特定空間の内部を示す第１の三次元画像を撮影装置１００から取得する。また、取得部３３１は、同じ位置に対して進行方向と逆方向の特定空間の内部を示す第２の三次元画像を撮影装置１００から取得する。
【００２８】
取得部３３１は、さらに、第１の三次元画像及び第２の三次元画像の特定空間の長手方向における位置を示す位置情報を取得する。取得部３３１は、取得した第１の三次元画像と、第２の三次元画像と、特定空間の長手方向における位置とを関連付けて記憶部３２に格納する。このとき、取得部３３１は、第１の三次元画像及び第２の三次元画像に関連付けられた位置情報をそれぞれ参照して、同じ位置を示す位置情報に関連付けられた第１の三次元画像及び第２の三次元画像の組み合わせを特定する。取得部３３１は、特定した第１の三次元画像及び第２の三次元画像の組み合わせと、これらの三次元画像に関連付けられた位置情報を関連付けて記憶部３２に格納する。
【００２９】
取得部３３１は、携帯電話網の周波数帯を指示する周波数情報を画像表示装置４００から取得する。特定空間には、中継する携帯電話網の周波数帯に応じて異なる通信装置が設置される。例えば、取得部３３１は、携帯電話網の周波数帯として、２ＧＨｚ帯を指示する周波数情報を取得する。取得部３３１は、取得した周波数情報を送信制御部３３２に通知することにより、画像表示装置４００に対し、２ＧＨｚ帯に対応する複数の種類の通信装置を示すオブジェクトがそれぞれ送信されるようにする。取得部３３１は、これらのオブジェクトのうち、いずれかを選択することを指示するオブジェクト指定情報を画像表示装置４００から取得する。
【００３０】
取得部３３１は、オブジェクト指定情報により選択されたオブジェクトを特定空間に仮想的に配置するための配置情報を取得する。例えば、取得部３３１は、第１の三次元画像又は第２の三次元画像において特定空間にオブジェクトを仮想的に配置するための配置情報を取得する。一例としては、画像表示装置４００は、オブジェクトを特定空間の所望の位置にドラッグさせる操作を受け付けた場合に、このオブジェクトを仮想的に配置するための配置情報を画像送信装置３００へ送信する。取得部３３１は、配置情報によって指定された配置位置を送信制御部３３２に通知する。
【００３１】
さらに、取得部３３１は、特定空間の水平方向の断面形状を示す上面視図において特定空間内の長手方向の一又は複数の位置を指定する指定情報を取得する。取得部３３１は、指定情報により指定された位置を送信制御部３３２に通知する。
【００３２】
送信制御部３３２は、画像を画像表示装置４００に送信する。送信制御部３３２は、取得部３３１が取得した指定情報により指定された位置に関連付けられた第１の三次元画像及び第２の三次元画像を画像表示装置４００へ送信する。送信制御部３３２は、ユーザにより選択されたオブジェクトの種類等の情報に基づいて、オブジェクトを第１の三次元画像及び第２の三次元画像が示す特定空間の内部に重畳させた画像を送信する。オブジェクトは、選択した通信装置の高さ、奥行き、幅などを示す距離情報を有しており、これらの情報に基づく大きさで第１の三次元画像及び第２の三次元画像に合成される。
【００３３】
図３及び図４は、送信制御部３３２が画像表示装置４００に送信する画像の例を示す図である。図３は、特定空間の水平方向の断面形状を示す上面視図であり、三次元画像を表示させる位置を指定するための画面である。図３の例では、特定空間は、湾曲したカーブを含むトンネルである。ここでは、ユーザが、図３に示す上面視図において、オブジェクトＡ１及びオブジェクトＡ２を配置し、三次元画像を表示させる位置Ｐを選択したものとする。
【００３４】
図４は、第１の三次元画像及び第２の三次元画像の例を示す。図４（ａ）は、第１の三次元画像を示し、図４（ｂ）は、第２の三次元画像を示す。送信制御部３３２は、図３の上面視図において位置Ｐを指定する指定情報を取得部３３１が取得した場合に、図４（ａ）及び図４（ｂ）の三次元画像を画像表示装置４００へ送信する。
【００３５】
送信制御部３３２は、指定情報により指定された位置Ｐに関連付けられた第１の三次元画像及び第２の三次元画像を記憶部３２から読み出す。送信制御部３３２は、読み出した第１の三次元画像及び第２の三次元画像の特定空間にオブジェクトＡ（例えばＡ１、Ａ２）重畳させた合成画像を生成し、生成した合成画像を画像表示装置４００へ送信する。図４（ａ）及び図４（ｂ）においては、特定空間に仮想的に配置された状態のオブジェクトＡ１、Ａ２にハッチングが付されている。
【００３６】
第１の三次元画像及び第２の三次元画像は、特定空間の高さ、奥行き、幅などを示す距離情報を有し、オブジェクトＡは、対応する通信装置の高さ、奥行き、幅などを示す距離情報を有する。このため、画像表示装置４００は、現実感のある三次元画像として特定空間及びオブジェクトＡ１、Ａ２を表示することができる。ユーザは、図４に示す三次元画像を視認することで、特定空間の指定した位置からオブジェクトＡ１、Ａ２が見通せるか否かを確認することができる。見通せるとは、三次元画像においてオブジェクトＡ１、Ａ２が特定空間の壁面又は別の設備等の遮蔽物に遮蔽されずに視認可能であることである。
【００３７】
第１の三次元画像においてオブジェクトＡ１が見通せて、かつ第２の三次元画像においてオブジェクトＡ２が見通せる場合には、オブジェクトＡ１、Ａ２の位置に通信装置２００を設置することで、第１の三次元画像及び第２の三次元画像が撮影された位置において、当該位置の両側の通信装置２００を視認できる。したがって、当該位置において、携帯電話機のハンドオーバが可能であることになる。
【００３８】
一方、第１の三次元画像と、第２の三次元画像とのいずれかにおいてオブジェクトＡ１又はオブジェクトＡ２が見通せない場合には、オブジェクトＡ１、Ａ２の位置に通信装置２００を設置しても、第１の三次元画像及び第２の三次元画像が撮影された位置において、当該位置の両側の通信装置２００のいずれかを視認できない。この場合、当該位置において、携帯電話のハンドオーバが可能でないことになる。このように、ユーザは、図４に示す三次元画像を視認することで、通信装置２００を設置した場合に、ハンドオーバが可能か否かを予め確認することができる。
【００３９】
図５は、送信制御部３３２が送信する三次元画像の他の例である。図５に示すように、送信制御部３３２は、構造物の設置が禁止されている建築限界の位置を示す画像Ｂを特定空間の内部に重畳させた画像を画像表示装置４００へ送信してもよい。移動体は、建築限界内を通過するため、通信装置２００は、建築限界の外側に配置する必要がある。建築限界は、例えば、鉄道事業者が移動体の走行位置及び車幅等を考慮して定める。送信制御部３３２は、図５に示すように、第１の三次元画像及び第２の三次元画像において建築限界を示す画像Ｂを矩形枠として表示する。
【００４０】
送信制御部３３２は、例えばユーザの指示に基づいて、オブジェクトＡ１を配置した位置において撮影された第１の三次元画像に建築限界の位置を示す画像Ｂを重畳した合成画像を生成し、この合成画像を画像表示装置４００へ送信する。このような構成により、ユーザは、オブジェクトＡ１を配置した位置に通信装置２００を設置した場合に、通信装置２００が建築限界と重ならないか否かを確認することができる。
【００４１】
［オブジェクト位置の判定］
送信制御部３３２は、第１判定部及び第２判定部として機能し、オブジェクトＡが配置された位置が適切であるか否かを自動的に判定してもよい。第１判定部は、配置情報によりオブジェクトＡを仮想的に配置することを指示された後に、取得部３３１が取得した指定情報により指定された位置に関連付けられた第１の三次元画像及び第２の三次元画像においてオブジェクトＡが見通せるか否かを判定する。このとき、第１判定部は、取得部３３１が受け付けた指定情報により特定空間の長手方向の複数の位置が指定された場合には、指定された複数の位置にそれぞれ関連付けて記憶部３２が記憶している第１の三次元画像及び第２の三次元画像においてオブジェクトＡが見通せるか否かを判定する。
【００４２】
図６は、第１判定部による判定を説明するための図である。図６は、特定空間Ｔのうち、破線で示す範囲を拡大した様子を示す。図６の右下にはスケールバーが表示されている。第１判定部は、指定情報により指定された複数の位置Ｐ１及びＰ２においてそれぞれ複数のオブジェクトＡを見通せるか否かをそれぞれ判定する。例えば、第１判定部は、オブジェクトＡを特定空間に配置する配置情報を取得部３３１が取得したときに、オブジェクトＡが見通せるか否かを判定する。
【００４３】
第１判定部としての送信制御部３３２は、指定された一又は複数の位置Ｐ１及びＰ２に関連付けられた第１の三次元画像及び第２の三次元画像を記憶部３２から読み出す。送信制御部３３２は、特定空間に仮想的に配置された状態のオブジェクトＡの種類、位置及び向きを記憶部３２から読み出す。送信制御部３３２は、読み出した位置及び向きでオブジェクトＡを第１の三次元画像に重畳させた場合に、それぞれの第１の三次元画像について少なくとも１つ以上のオブジェクトＡを見通せるか否かを判定する。同様に、送信制御部３３２は、読み出した位置及び向きでオブジェクトＡを重畳させた場合に、それぞれの第２の三次元画像について少なくとも１つ以上のオブジェクトＡを見通せるか否かを判定する。
【００４４】
送信制御部３３２は、第１の三次元画像及び第２の三次元画像のいずれかにおいてオブジェクトＡが見通せない場合に、複数のオブジェクトＡが見通せないと判定する。この場合、送信制御部３３２は、複数のオブジェクトＡが見通せないと判定したエラー位置を示す情報を画像表示装置４００へ送信する。送信制御部３３２は、第１の三次元画像において重畳させたオブジェクトＡが見通せ、且つ第２の三次元画像において重畳させたオブジェクトＡが見通せる場合に、複数のオブジェクトＡが見通せると判定し、エラー位置を示す情報を画像表示装置４００へ送信しない。
【００４５】
第１判定部としての送信制御部３３２は、特定空間内のいずれかの区間に含まれる複数の位置に関連付けられた第１の三次元画像又は第２の三次元画像においてオブジェクトＡを見通せないと判定した場合に、この区間において複数のオブジェクトＡが見通せないと判定する。このとき、送信制御部３３２は、特定空間を示す画像において当該区間を示す情報を画像表示装置４００へ送信する。例えば、送信制御部３３２は、複数のオブジェクトＡが見通せないと判定した区間にハッチングを付した特定区間の上面視画像を生成し、生成した上面視画像を画像表示装置４００へ送信する。
【００４６】
このような構成により、送信制御部３３２が、第１の三次元画像及び第２の三次元画像においてオブジェクトＡを見通せるか否かを判定した結果を画像表示装置４００へ送信するので、ユーザが、通信装置２００を設置した場合に、特定空間内において携帯電話機のハンドオーバが可能か否かを容易に確認することができる。また、送信制御部３３２は、複数のオブジェクトＡが見通せないと判定した区間を示す情報を表示するので、ユーザは、オブジェクトＡの配置を変更する必要がある区間を把握することができる。
【００４７】
送信制御部３３２は、第２判定部として、特定空間に仮想的に配置した状態のオブジェクトＡが、構造物の設置が禁止されている建築限界と重ならないように配置されているか否かを判定してもよい。第２判定部としての送信制御部３３２は、配置情報により仮想的に配置したオブジェクトＡが、構造物の設置が禁止されている建築限界と重なると判定した場合には、オブジェクトＡが建築限界に重なると判定したエラー位置を示す情報を画像表示装置４００へ送信する。
【００４８】
一方、第２判定部としての送信制御部３３２は、配置操作により仮想的に配置したオブジェクトＡが、構造物の設置が禁止されている建築限界と重ならないと判定した場合には、エラー位置を示す情報を画像表示装置４００へ送信しない。このような構成により、ユーザは、特定空間に仮想的に配置したオブジェクトＡが建築限界と重なるか否かを把握することができる。
【００４９】
第２判定部としての送信制御部３３２は、複数のオブジェクトＡ間の距離が基準値以下であるか否かを判定してもよい。特定空間内を移動する移動体において携帯電話機のハンドオーバが可能であるためには、携帯電話機と通信装置との距離が基準値未満である必要がある。この基準値は、オブジェクトＡが示す通信装置２００の周波数帯に応じて決まる値である。第２判定部は、配置された状態のオブジェクトＡ間の距離と基準値とを比較する。第２判定部は、オブジェクトＡ間の距離が基準値より大きいと判定した場合には、オブジェクトＡ間の距離が基準値より大きいと判定したエラー位置を示す情報を画像表示装置４００へ送信する。一方、第２判定部は、オブジェクトＡ間の距離が基準値以下であると判定した場合には、エラー位置を示す情報を画像表示装置４００へ送信しない。
【００５０】
ところで、通信装置２００から電源までの電源距離が長いと特定空間内の他の設備の設置に支障をきたすおそれがある。そこで、送信制御部３３２は、オブジェクトＡから電源までの電源距離が閾値以下であるか否かを判定してもよい。閾値は、特定空間内の電源の数及び特定空間内に設置する設備の数等を考慮して、当業者が決定する。まず、送信制御部３３２は、特定空間内の電源の場所を記憶部３２から読み出す。送信制御部３３２は、仮想的に配置された状態のオブジェクトＡから電源までの電源距離と、閾値とを比較する。送信制御部３３２は、電源距離が閾値より大きいと判定した場合には、電源距離が閾値より大きいと判定したエラー位置を示す情報を画像表示装置４００へ送信する。一方、送信制御部３３２は、電源距離が閾値以下であると判定した場合には、エラー位置を示す情報を画像表示装置４００へ送信しない。
【００５１】
［画像表示装置４００の構成］
以下、画像表示装置４００の構成について詳細に説明する。
図７は、画像表示装置４００の構成を示す図である。画像表示装置４００は、操作部４０、通信部４１、表示部４２、記憶部４３及び制御部４４を備える。操作部４０は、ユーザが操作を入力するためのデバイスであり、例えばタッチパネル、キーボード及びマウスである。通信部４１は、撮影装置１００と通信するためのインターフェースである。表示部４２は、画像を表示するためのディスプレイである。
【００５２】
記憶部４３は、ＲＯＭ（Read Only Memory）及びＲＡＭ（Random Access Memory）等の記憶媒体である。記憶部４３は、制御部４４が実行するプログラムを記憶している。制御部４４は、例えばＣＰＵ（Central Processing Unit）である。制御部４４は、記憶部４３に記憶されたプログラムを実行することにより、操作受付部４４１及び表示制御部４４２として機能する。
【００５３】
操作受付部４４１は、操作部４０に対するユーザの操作を受け付ける。操作受付部４４１は、通信部４１を介して、受け付けた操作を示す情報を画像送信装置３００へ送信する。操作受付部４４１は、携帯電話網の周波数帯を選択する操作を受け付ける。操作受付部４４１は、受け付けた操作により選択した周波数帯を指示する周波数情報を生成する。操作受付部４４１は、通信部４１を介して、生成した周波数情報を画像送信装置３００へ送信する。操作受付部４４１は、複数の種類の通信装置を示すオブジェクトのうち、いずれかのオブジェクトを選択する選択操作を受け付ける。操作受付部４４１は、受け付けた選択操作に基づいて、いずれかのオブジェクトを選択することを指示するオブジェクト指定情報を生成する。操作受付部４４１は、生成したオブジェクト指定情報を画像送信装置３００へ送信する。
【００５４】
操作受付部４４１は、選択されたオブジェクトを特定空間に仮想的に配置する配置操作を受け付ける。操作受付部４４１は、受け付けた配置操作に基づいて、オブジェクトを特定空間に仮想的に配置するための配置情報を生成する。操作受付部４４１は、生成した配置情報を画像送信装置３００へ送信する。配置情報は、配置操作によって指定された配置位置を示す情報を含む。
【００５５】
さらに、操作受付部４４１は、特定空間の水平方向の断面形状を示す上面視画像において特定空間内の長手方向の一又は複数の位置を指定する指定操作を受け付ける。操作受付部４４１は、受け付けた指定操作に基づいて、特定空間内の長手方向の一又は複数の位置を指定する指定情報を生成する。操作受付部４４１は、受け付けた指定情報を画像送信装置３００へ送信する。
【００５６】
表示制御部４４２は、通信部４１を介して画像を受信し、受信した画像を表示部４２に表示させる。表示制御部４４２は、画像送信装置３００から受信した第１の三次元画像及び第２の三次元画像を表示する。表示制御部４４２は、画像送信装置３００から受信したオブジェクトを第１の三次元画像及び第２の三次元画像が示す特定空間の内部に重畳させた画像を表示する。
【００５７】
表示制御部４４２は、複数のオブジェクトＡが見通せないと判定したエラー位置を示す情報を画像送信装置３００から受信した場合に、受信したエラー位置を表示する。第１判定部としての表示制御部４４２は、複数のオブジェクトＡが見通せないと第１判定部が判定した区間を示す情報を受信した場合に、この区間を表示する。例えば、表示制御部４４２は、特定区間の上面視画像において複数のオブジェクトＡが見通せないと判定した区間にハッチングを付して表示する。
【００５８】
表示制御部４４２は、オブジェクトＡが建築限界に重なると第２判定部が判定したエラー位置を示す情報を受信した場合には、このエラー位置を表示する。表示制御部４４２は、オブジェクトＡ間の距離が基準値より大きいと判定したエラー位置を示す情報を受信した場合には、このエラー位置を表示する。表示制御部４４２は、電源距離が閾値より大きいと判定したエラー位置を示す情報を受信した場合には、このエラー位置を表示する。
【００５９】
［画像送信装置３００の処理手順］
図８は、画像送信装置３００の動作の一例を示したフローチャートである。この処理手順は、例えば、送信制御部３３２が特定空間の水平方向の断面形状を示す上面視画像を画像表示装置４００へ送信したときに開始する。
【００６０】
まず、取得部３３１は、特定空間において中継する携帯電話網の周波数帯を指示する周波数情報を画像表示装置４００から取得する（ステップＳ１０１）。送信制御部３３２は、選択された周波数帯に対応する２種類以上の通信装置２００を示すオブジェクトＡを特定空間に配置するためのオブジェクトＡの候補として画像表示装置４００へそれぞれ送信する（ステップＳ１０２）。取得部３３１は、送信制御部３３２が送信したオブジェクトＡの候補のうち、いずれかのオブジェクトＡを仮想的に配置するための配置情報を取得したか否かを判定する（ステップＳ１０３）。
【００６１】
第１判定部及び第２判定部は、第１の三次元画像又は第２の三次元画像の特定空間にオブジェクトＡを仮想的に配置するための配置情報を取得したと取得部３３１が判定した場合に（Ｓ１０３のＹＥＳ）、判定処理を行い（Ｓ１０４）、処理を終了する。取得部３３１は、ステップＳ１０３の判定において、第１の三次元画像又は第２の三次元画像の特定空間にオブジェクトＡを仮想的に配置するための配置情報を取得していないと判定した場合に（Ｓ１０３のＮＯ）、ステップＳ１０３の判定を繰り返す。
【００６２】
図９は、図８の判定処理（Ｓ１０３）の詳細な手順を示すフローチャートである。まず、取得部３３１は、上面視画像において特定空間内の長手方向の位置を指定する指定情報を取得する（ステップＳ２０１）。第１判定部は、特定空間に仮想的に配置された状態のオブジェクトＡの位置、向き及び種類を示す情報を記憶部３２から取得する（ステップＳ２０２）。第１判定部は、取得部３３１が取得した指定情報により指定された位置に関連付けられた第１の三次元画像及び第２の三次元画像を読み出す。第１判定部は、読み出したオブジェクトＡの位置、向き及び種類を示す情報に基づいて、第１の三次元画像及び第２の三次元画像の特定空間にオブジェクトＡを重畳させる。第１判定部は、第１の三次元画像及び第２の三次元画像の特定空間においてオブジェクトＡが見通し可能か否かを判定する（ステップＳ２０３）。
【００６３】
第２判定部は、第１の三次元画像及び第２の三次元画像の特定空間においてオブジェクトＡが見通し可能であると第１判定部が判定した場合に（Ｓ２０３のＹＥＳ）、オブジェクトＡ間の距離が基準値以下であるか否かを判定する（ステップＳ２０４）。第２判定部は、オブジェクトＡ間の距離が基準値以下であると判定した場合に（Ｓ２０４のＹＥＳ）、オブジェクトＡから電源までの電源距離が閾値以下であるか否かを判定する（ステップＳ２０５）。
【００６４】
第２判定部は、オブジェクトＡから電源までの電源距離が閾値以下であると判定した場合に（Ｓ２０５のＹＥＳ）、オブジェクトＡが建築限界と重ならないように配置されているか否かを判定する（ステップＳ２０６）。送信制御部３３２は、オブジェクトＡが建築限界と重ならないように配置されていると第２判定部が判定した場合には（Ｓ２０６のＹＥＳ）、オブジェクトＡの配置が適切である旨のメッセージを表示部４２に表示させ（ステップＳ２０７）、処理を終了する。
【００６５】
送信制御部３３２は、ステップＳ２０３の判定において第１の三次元画像及び第２の三次元画像のいずれかにおいてオブジェクトＡが見通せないと第１判定部が判定した場合に（Ｓ２０３のＮＯ）、複数のオブジェクトＡが見通せないと判定したエラー位置を示す情報を画像表示装置４００へ送信する（ステップＳ２０８）。送信制御部３３２は、ステップＳ２０４の判定においてオブジェクトＡ間の距離が基準値より大きいと第２判定部が判定した場合には（Ｓ２０４のＮＯ）、オブジェクトＡ間の距離が基準値より大きいと判定したエラー位置を示す情報を画像表示装置４００へ送信する（ステップＳ２０８）。
【００６６】
送信制御部３３２は、ステップＳ２０５の判定においてオブジェクトＡから電源までの電源距離が閾値より大きいと第２判定部が判定した場合には（Ｓ２０５のＮＯ）、電源距離が閾値より大きいと判定したエラー位置を示す情報を画像表示装置４００へ送信する（ステップＳ２０８）。送信制御部３３２は、ステップＳ２０６の判定において配置情報により仮想的に配置することを指示されたオブジェクトＡが構造物の設置が禁止されている建築限界と重なると第２判定部が判定した場合には（Ｓ２０６のＮＯ）、オブジェクトＡが建築限界に重なると判定したエラー位置を示す情報を画像表示装置４００へ送信する（ステップＳ２０８）。
【００６７】
［本実施形態の効果］
本実施形態によれば、送信制御部３３２は、指定操作により指定された位置に関連付けられ、且つオブジェクトＡを仮想的に配置可能な第１の三次元画像及び第２の三次元画像を画像表示装置４００へ送信する。このような構成により、ユーザは、第１の三次元画像及び第２の三次元画像が示す特定空間にオブジェクトＡを仮想的に配置し、このオブジェクトＡを見通せるか否かを確認することができる。したがって、ユーザは、特定空間に通信装置を設置した場合に携帯電話機のハンドオーバが可能か否かを予め確認することができる。
【００６８】
［変形例］
なお、本実施形態では、ネットワークを介して画像表示装置４００へ三次元画像を送信する画像送信装置３００の例について説明した。しかしながら、本発明はこれに限定されず、例えば、三次元画像を表示部に表示させる画像表示装置であってもよい。画像表示装置は、画像送信装置３００の各構成要件に加えて、表示部、操作受付部及び表示制御部をさらに備える。
【００６９】
表示部は、画像を表示するためのディスプレイである。操作受付部は、タッチパネル又は操作キーに対するユーザの操作を受け付ける。例えば、操作受付部は、特定空間内のいずれかの位置を指定する指定操作を受け付ける。表示制御部は、表示部に画像を表示させる。表示制御部は、操作受付部が受け付けた指定操作により指定された位置に記憶部３２において関連付けられた第１の三次元画像及び第２の三次元画像を表示部に表示させる。このような構成により、ユーザは、特定空間に通信装置２００を設置した場合に、携帯電話機のハンドオーバが可能であるか否かを画像表示装置において確認することができる。
【００７０】
また、本実施形態では、撮影装置１００が撮影画像として三次元画像を生成する場合の例について説明した。しかしながら、本発明は、これに限定されない。例えば、画像送信装置３００は、撮影装置１００が生成した複数の撮影画像を解析することにより、特定空間の内部を示す三次元画像を生成する生成部をさらに備える構成であってもよい。
【００７１】
本実施の形態の例では、送信制御部３３２は、第１の三次元画像又は第２の三次元画像の特定空間において、ユーザが新たに配置するオブジェクトＡに対応する通信装置２００が見通せるか否かを判定する場合の例について説明した。しかしながら、本発明は、これに限定されない。例えば、送信制御部３３２は、オブジェクトＡ及び設置済みの通信装置２００のいずれかが見通せるか否かを判定してもよい。この場合、送信制御部３３２は、第１の三次元画像又は第２の三次元画像においてオブジェクトＡ及び設置済みの通信装置２００がいずれも見通せない場合に、これらの三次元画像に関連付けられた位置をエラー位置として表示する。一方、送信制御部３３２は、第１の三次元画像及び第２の三次元画像の両方においてオブジェクトＡ及び設置済みの通信装置２００のいずれかが見通せる場合に、エラー位置を示す情報を表示させない。
【００７２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７３】
３１  通信部
３２  記憶部
３３  制御部
４０  操作部
４１  通信部
４２  表示部
４３  記憶部
４４  制御部
１００  撮影装置
２００  通信装置
３００  画像送信装置
３３１  取得部
３３２  送信制御部
４００  画像表示装置
４４１  操作受付部
４４２  表示制御部
【図１】
2019145954.tif 000003
【図２】
2019145954.tif 000004
【図３】
2019145954.tif 000005
【図４】
2019145954.tif 000006
【図５】
2019145954.tif 000007
【図６】
2019145954.tif 000008
【図７】
2019145954.tif 000009
【図８】
2019145954.tif 000010
【図９】
2019145954.tif 000011